【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】  ドキュメントイメージの中の表イメージを認識する情報処理装置の情報処理方法であって、
第１認識手段が、ドキュメントイメージのフレームイメージを認識するステップと、
第２認識手段が、前記フレームイメージ内の白領域を認識するステップと、
第３認識手段が、前記フレームイメージ内の破線を認識するステップと、
計算手段が、認識された白領域と認識された破線に基づいて水平と垂直のグリッドラインを計算するステップと、
決定手段が、計算された水平と垂直のグリッドラインに基づいて前記フレームイメージが表イメージであるかどうかを決定するステップと
を備えることを特徴とする、情報処理装置の情報処理方法。
【請求項２】  第４認識手段が、前記フレームイメージ内の表部分を認識するステップと、
第５認識手段が、前記表部分内の破線を認識するステップと、
第６認識手段が、前記表部分内の白領域を認識するステップとを更に備え、
前記表部分内の認識された破線と該表部分内の認識された白領域とに基づいて水平と垂直のグリッドラインが認識される
ことを特徴とする請求項１に記載の情報処理方法。
【請求項３】  認識された白領域と認識された破線に基づいて水平と垂直のグリッドラインを計算する前記ステップが、
認識された白領域と認識された破線に基づいて前記フレームイメージの中の輪郭ペアのそれぞれのラインを決定するステップと、
決定された輪郭ペアに基づいて水平と垂直のラインを認識するステップとを備える
ことを特徴とする請求項１または２に記載の情報処理方法。
【請求項４】  第７認識手段が、フレームイメージ内のテキスト結合構成要素と非テキスト結合構成要素を認識するステップと、
割り当て手段が、前記認識されたテキスト結合構成要素のそれぞれを前記水平と垂直のグリッドラインによって定義された表のセルへ割り当てるステップとを更に備える
ことを特徴とする請求項１に記載の情報処理方法。
【請求項５】  ドキュメントイメージの領域を認識し、当該認識した領域を表イメージとして処理する情報処理装置の情報処理方法であって、
受容手段が、ドキュメントイメージの領域が表イメージであると指示されたユーザ入力を受容するステップと、
第１認識手段が、前記領域内の白領域を認識するステップと、
第２認識手段が、前記領域内の破線を認識するステップと、
計算手段が、認識された白領域と認識された破線とに基づいて水平と垂直のグリッドラインを計算するステップと
を備えることを特徴とする、情報処理装置の情報処理方法。
【請求項６】  第３認識手段が、領域内の表部分を認識するステップと、
第４認識手段が、前記表部分の破線を認識するステップと、
第５認識手段が、前記表部分の白領域を認識するステップとを更に備え、
前記表部分内の認識された破線と表部分内で認識された白領域とに基づいて水平と垂直のグリッドラインが認識される
ことを特徴とする請求項５に記載の情報処理方法。
【請求項７】  認識された白領域と認識された破線とに基づいて水平と垂直のグリッドラインを計算する前記ステップが、
認識された白領域と認識された破線に基づいて前記領域の中の輪郭ペアのそれぞれのラインを決定するステップと、
前記決定された輪郭ペアに基づいて水平と垂直のラインを認識するステップとを備える
ことを特徴とする請求項５または６に記載の情報処理方法。
【請求項８】  第６認識手段が、前記領域内のテキスト結合構成要素と非テキスト結合構成要素を認識するステップと、
割り当て手段が、前記水平と垂直のグリッドラインにより定義づけられた表のセルに前記テキスト結合構成要素のそれぞれを割り当てるステップとを更に備える
ことを特徴とする請求項５に記載の情報処理方法。
【請求項９】  コンピュータにドキュメントイメージの中の表イメージを認識させるためのプログラムを記憶するコンピュータ可読記憶媒体であって、コンピュータに、
ドキュメントイメージの中のフレームイメージを認識するための第１認識ステップと、
前記フレームイメージの中の白領域を認識するための第２認識ステップと、
前記フレームイメージの中の破線を認識するための第３認識ステップと、
認識された白領域と認識された破線とに基づいて水平と垂直のグリッドラインを計算する計算ステップと、
計算された水平と垂直のグリッドラインに基づいて前記フレームイメージが表イメージかどうかを決定する決定ステップとの各手順を実行させるためのプログラムを記録した  ことを特徴とするコンピュータ可読記憶媒体。
【請求項１０】  前記コンピュータに、
前記フレームイメージ内の表部分を認識するための第４認識ステップと、
前記表部分内の破線を認識するための第５認識ステップと、
前記表部分内の白領域を認識するための第６認識ステップとを実行させるためのプログラムを更に備え、
前記計算ステップにおいて、前記表部分内で認識された破線と該表部分内の認識された白領域とに基づいて水平と垂直のグリッドラインが認識される
ことを特徴とする請求項９に記載のコンピュータ可読記憶媒体。
【請求項１１】  認識された白領域と認識された破線とに基づいて水平と垂直のグリッドラインを計算する前記計算ステップが、
認識された白領域と認識された破線とに基づいて前記フレームイメージの中の輪郭ペアのそれぞれの線を決定する決定ステップと、
決定された輪郭ペアに基づいて水平と垂直のラインを認識する第７認識ステップとを備える
ことを特徴とする請求項９または１０に記載のコンピュータ可読記憶媒体。
【請求項１２】  前記コンピュータに、
フレームイメージ内のテキスト結合構成要素と非テキスト結合構成要素を認識する第８認識ステップと、
水平と垂直のグリッドラインによって定義づけられた表のセルに前記テキスト結合構成要素のそれぞれを割り当てるための割り当てステップとを実行させるためのプログラムを更に備える
ことを特徴とする請求項９に記載のコンピュータ可読記憶媒体。
【請求項１３】  ドキュメントイメージの領域を表イメージとして処理させるためのプログラムを記憶するコンピュータ可読記憶媒体であって、コンピュータに、
ドキュメントイメージが表イメージの領域であることを指示するユーザ入力を受容する受容ステップと、
前記領域内の白領域を認識する第１認識ステップと、
前記領域内の破線を認識する第２認識ステップと、
認識された白領域と認識された破線とに基づいて水平と垂直のグリッドライン計算する計算ステップとの各手順を実行させるためのプログラムを記録した
ことを特徴とするコンピュータ可読記憶媒体。
【請求項１４】  前記プログラムは、前記コンピュータに、
前記領域内の表部分を認識する第３認識ステップと、
前記表部分内の破線を認識する第４認識ステップと、
表部分内の白領域を認識する第５認識ステップとを実行させるためのプログラムを更に備え、
前記計算ステップでは、前記表部分内で認識された破線と該表部分内で認識された白領域部分とに基づいて水平と垂直のグリッドラインを認識する
ことを特徴とする請求項１３に記載のコンピュータ可読記憶媒体。
【請求項１５】  認識された白領域と認識された破線とに基づいて水平と垂直のグリッドラインを計算する前記計算ステップが、
認識された白領域と認識された破線とに基づいて領域の中の輪郭ペアのそれぞれの線を決定するための決定ステップと、
決定された輪郭ペアに基づいて水平と垂直のラインを認識する認識ステップとを備える
ことを特徴とする請求項１３または１４に記載のコンピュータ可読記憶媒体。
【請求項１６】  前記コンピュータに、
領域内のテキスト結合構成要素と非テキスト結合構成要素を認識する認識ステップと、
水平と垂直のグリッドラインによって定義づけられた表のセルに、前記テキスト結合構成要素のそれぞれを割り当てるための割り当てステップとを実行させるためのプログラムを更に備える
ことを特徴とする請求項１３に記載のコンピュータ可読記憶媒体。
【請求項１７】  ドキュメントイメージの中の表イメージを認識するための装置であって、
コンピュータプログラムを記憶しているメモリと、
前記メモリに記憶されたプログラムを実行するプロセッサとを備え、
前記プロセッサは、前記プログラムを実行することにより、１）ドキュメントイメージの中のフレームイメージを認識するステップと、２）フレームイメージの内の白領域を認識するステップと、３）フレームイメージ内の破線を認識するステップと、４)認識された白領域と認識された破線とに基づいて水平と垂直のグリッドラインを計算するステップと、５）計算された水平と垂直のグリッドラインに基づいて前記フレームイメージが表イメージかどうかを決定するステップとを実行することを特徴とする情報処理装置。
【請求項１８】  前記プロセッサは、１）前記フレームイメージ内の表部分を認識するステップと、２）前記表部分内の破線を認識するステップと、３)該表部分内の白領域を認識するステップとを更に実行し、
前記表部分内の認識された破線と該表部分内の認識された白領域とに基づいて水平と垂直のグリッドラインが認識される
ことを特徴とする請求項１７に記載の情報処理装置。
【請求項１９】  認識された白領域と認識された破線とに基づいた水平と垂直のグリッドラインを計算する前記ステップが、認識された白領域と認識された破線とに基づいた前記フレームイメージの中の輪郭ペアのそれぞれのラインを決定するステップと、決定された輪郭ペアに基づいて水平と垂直のラインを認識するステップとを含む
ことを特徴とする請求項１７または１８に記載の情報処理装置。
【請求項２０】  前記プロセッサは、１）前記フレームイメージ内のテキストと非テキストの結合構成要素を認識するステップと、２）水平と垂直のグリッドラインによって定義づけられた表のセルにそれぞれのテキスト結合構成要素を割り当てるステップとを更に実行する
ことを特徴とする請求項１７に記載の情報処理装置。
【請求項２１】  ドキュメントイメージの領域を表イメージとして処理する装置であって、
コンピュータ実行が可能なプログラムを記憶するメモリと、
前記メモリに格納された前記プログラムを実行するプロセッサとを備え、
前記プロセッサは、前記プログラムを実行することにより、１）ドキュメントイメージの領域が表イメージであることを指示するユーザの入力を受容するステップと、２）前記領域内の白領域を認識するステップと、３）前記領域内の破線を認識するステップと、４）認識された白領域と認識された破線とに基づいて水平と垂直のグリッドラインを計算するステップとを実行することを特徴とする情報処理装置。
【請求項２２】  前記プロセッサは、１）前記領域内の表部分を認識するステップと、２）前記表部分内の破線を認識するステップと、３）前記表部分内の白領域を認識するステップとを更に実行し、
前記表部分内の認識された破線と該表部分内の認識された白領域とに基づいて水平と垂直のグリッドラインを認識する
ことを特徴とする請求項２１に記載の情報処理装置。
【請求項２３】  認識された白領域と認識された破線とに基づいて水平と垂直のグリッドラインを計算する前記ステップが、認識された白領域と認識された破線とに基づいて前記領域の中の輪郭ペアのそれぞれのラインを決定するステップと、決定された輪郭ペアに基づいて水平と垂直のラインを認識するためのステップとを備える
ことを特徴とする請求項２１または２２に記載の情報処理装置。
【請求項２４】  前記プロセッサは、
１）前記領域内でテキストの結合構成要素と非テキストの結合構成要素を認識するステップと、２）水平と垂直のグリッドラインによって定義づけられた表のセルにそれぞれのテキスト結合構成要素を割り当てるステップとを更に実行する
ことを特徴とする請求項２１に記載の情報処理装置。